(57)【要約】【課題】複数のくるみ製本された印刷物を取得する際、より生産性の高い印刷方法によって印刷を行うようにする。【解決手段】印刷情報出力部２２が、印刷部数が閾値以下である場合には、くるみ製本される各印刷物の表紙データと本文データとが交互に印刷装置において印刷されるように表紙データおよび本文データを出力する第１の印刷モードを実行し、印刷部数が所定の閾値より多い場合には、複数のくるみ製本される印刷物の表紙に印刷される全ての表紙データが印刷装置において印刷された後、複数のくるみ製本される印刷物の本文に印刷される本文データが印刷装置において印刷されるように表紙データおよび本文データを出力する第２の印刷モードを実行する。【選択図】図１
2013178705.tif 000002
【特許請求の範囲】
【請求項１】
くるみ製本される印刷物の表紙に印刷される表紙データおよび本文ページに印刷される本文データを印刷装置に出力する印刷情報出力部と、
くるみ製本される複数の印刷物の印刷部数の情報を取得する印刷部数情報取得部とを備え、
前記印刷情報出力部が、前記印刷部数が前記閾値以下である場合には、前記くるみ製本される各印刷物の前記表紙データと前記本文データとが交互に前記印刷装置において印刷されるように前記表紙データおよび前記本文データを出力する第１の印刷モードを実行し、
前記印刷部数が所定の閾値より多い場合には、前記複数のくるみ製本される印刷物の表紙に印刷される全ての表紙データが前記印刷装置において印刷された後、前記複数のくるみ製本される印刷物の本文に印刷される本文データが前記印刷装置において印刷されるように前記表紙データおよび前記本文データを出力する第２の印刷モードを実行するものであることを特徴とする印刷制御装置。
【請求項２】
前記印刷情報出力部が前記第１の印刷モードを実行するように予め設定されている場合に、前記印刷部数が所定の閾値より多い場合には、前記第１の印刷モードから前記第２の印刷モードへの変更を受け付け、または前記印刷情報出力部が前記第２の印刷モードを実行するように予め設定されている場合に、前記印刷部数が所定の閾値以下である場合には、前記第２の印刷モードから前記第１の印刷モードへの変更を受け付ける印刷モード変更受付部を備え、
前記印刷情報出力部が、前記印刷モード変更受付部において印刷モードの変更が受け付けられた場合に、該変更後の印刷モードを実行するものであることを特徴とする請求項１記載の印刷制御装置。
【請求項３】
前記第２の印刷モードの場合に、前記印刷装置において前記表紙データの印刷が終了したことを示す表紙印刷終了情報を受け付け、該表紙印刷終了情報の受け付けに応じて前記表紙データの印刷が終了したことを報知する表紙印刷終了報知部を備えたことを特徴とする請求項１または２記載の印刷制御装置。
【請求項４】
コンピュータを、
くるみ製本される印刷物の表紙に印刷される表紙データおよび本文ページに印刷される本文データを印刷装置に出力する印刷情報出力部と、
くるみ製本される複数の印刷物の印刷部数の情報を取得する印刷部数情報取得部として機能させる印刷制御プログラムであって、
前記印刷情報出力部が、前記印刷部数が前記閾値以下である場合には、前記くるみ製本される各印刷物の前記表紙データと前記本文データとが交互に前記印刷装置において印刷されるように前記表紙データおよび前記本文データを出力する第１の印刷モードを実行し、
前記印刷部数が所定の閾値より多い場合には、前記複数のくるみ製本される印刷物の表紙に印刷される全ての表紙データが前記印刷装置において印刷された後、前記複数のくるみ製本される印刷物の本文に印刷される本文データが前記印刷装置において印刷されるように前記表紙データおよび前記本文データを出力する第２の印刷モードを実行するものであることを特徴とする印刷制御プログラム。
【発明の詳細な説明】
【技術分野】
【０００１】
本発明は、くるみ製本される印刷物の表紙に印刷される表紙データおよび本文ページに印刷される本文データを印刷装置に出力する印刷制御装置およびプログラムに関するものである。
【背景技術】
【０００２】
従来、印刷装置においてくるみ製本される印刷物の表紙および本文ページを印刷し、その印刷の施された表紙および本文ページを用いて製本装置においてくるみ製本を行うプリンタシステムが種々提案されている（たとえば特許文献１〜特許文献２参照）。
【０００３】
そして、このようなプリンタシステムにおいて複数のくるみ製本された印刷物を取得する場合には、たとえば１枚の表紙の印刷と１部の本文ページを印刷とが交互に繰り返して行われ、その印刷済の表紙と本文ページとが交互に製本装置に供給されてくるみ製本が行われる。
【先行技術文献】
【特許文献】
【０００４】
【特許文献１】特開２００９−１１３４７３号公報
【特許文献２】特開２００７−６２１４９号公報
【発明の概要】
【発明が解決しようとする課題】
【０００５】
しかしながら、上述したように１枚の表紙の印刷と１部の本文ページを印刷とを交互に繰り返して行った場合、表紙の印刷用紙のサイズと本文ページの印刷用紙のサイズとは異なるものであり、それぞれ異なる給紙トレイから給紙されて印刷されることになるので、表紙の印刷用紙の給紙トレイと本文ページの印刷用紙の給紙トレイとの切り替えが必要となる。
【０００６】
また、上述したように印刷用紙のサイズが異なる表紙と本文ページを交互に繰り返して印刷する際には、印刷装置の構成の都合上、印刷装置から本文ページの最終ページの印刷用紙が完全に排出された後にしか、次の表紙の印刷用紙を印刷装置に供給することができず、また、印刷装置から表紙の印刷用紙が完全に排出された後にしか、本文ページの印刷用紙を印刷装置に供給することができない。
【０００７】
したがって、図１７に示すように、表紙の印刷と本文ページの印刷とが切り替わる度に、給紙トレイの切り替えなどによるダウンタイムが発し、全体の生産性が落ちることになる。
【０００８】
本発明は、上記事情に鑑み、複数のくるみ製本された印刷物を取得する際の生産性を向上することができる印刷制御装置およびプログラムを提供することを目的とするものである。
【課題を解決するための手段】
【０００９】
本発明の印刷制御装置は、くるみ製本される印刷物の表紙に印刷される表紙データおよび本文ページに印刷される本文データを印刷装置に出力する印刷情報出力部と、くるみ製本される複数の印刷物の印刷部数の情報を取得する印刷部数情報取得部とを備え、印刷情報出力部が、印刷部数が閾値以下である場合には、くるみ製本される各印刷物の表紙データと本文データとが交互に印刷装置において印刷されるように表紙データおよび本文データを出力する第１の印刷モードを実行し、印刷部数が所定の閾値より多い場合には、複数のくるみ製本される印刷物の表紙に印刷される全ての表紙データが印刷装置において印刷された後、複数のくるみ製本される印刷物の本文に印刷される本文データが印刷装置において印刷されるように表紙データおよび本文データを出力する第２の印刷モードを実行するものであることを特徴とする。
【００１０】
また、上記本発明の印刷制御装置においては、印刷情報出力部が第１の印刷モードを実行するように予め設定されている場合に、印刷部数が所定の閾値より多い場合には、第１の印刷モードから第２の印刷モードへの変更を受け付け、または印刷情報出力部が第２の印刷モードを実行するように予め設定されている場合に、印刷部数が所定の閾値以下である場合には、第２の印刷モードから第１の印刷モードへの変更を受け付ける印刷モード変更受付部を設け、印刷情報出力部を、印刷モード変更受付部において印刷モードの変更が受け付けられた場合に、その変更後の印刷モードを実行するものとできる。
【００１１】
また、第２の印刷モードの場合に、印刷装置において表紙データの印刷が終了したことを示す表紙印刷終了情報を受け付け、その表紙印刷終了情報の受け付けに応じて表紙データの印刷が終了したことを報知する表紙印刷終了報知部を設けることができる。
【００１２】
本発明の印刷制御プログラムは、コンピュータを、くるみ製本される印刷物の表紙に印刷される表紙データおよび本文ページに印刷される本文データを印刷装置に出力する印刷情報出力部と、くるみ製本される複数の印刷物の印刷部数の情報を取得する印刷部数情報取得部として機能させる印刷制御プログラムであって、印刷情報出力部が、印刷部数が閾値以下である場合には、くるみ製本される各印刷物の表紙データと本文データとが交互に印刷装置において印刷されるように表紙データおよび本文データを出力する第１の印刷モードを実行し、印刷部数が所定の閾値より多い場合には、複数のくるみ製本される印刷物の表紙に印刷される全ての表紙データが印刷装置において印刷された後、複数のくるみ製本される印刷物の本文に印刷される本文データが印刷装置において印刷されるように表紙データおよび本文データを出力する第２の印刷モードを実行するものであることを特徴とする。
【００１３】
本発明の印刷制御装置は、くるみ製本される印刷物の表紙に印刷される表紙データおよび本文ページに印刷される本文データを印刷装置に出力するとともに、印刷装置において表紙データおよび本文データを印刷する際に使用する印刷用紙の給紙トレイの位置を指定する給紙トレイ位置指定情報を出力する印刷情報出力部と、くるみ製本される複数の印刷物の本文の総印刷枚数が所定の印刷枚数を超えるような大量印刷を行うことを示す大量印刷情報を取得する大量印刷情報取得部とを備え、印刷情報出力部が、大量印刷情報が取得された場合には、複数のくるみ製本される印刷物の表紙に印刷される全ての表紙データが印刷装置において印刷された後、複数のくるみ製本される印刷物の本文に印刷される本文データが印刷装置において印刷されるように表紙データおよび本文データを出力し、かつ大量印刷用の給紙トレイ位置指定情報を出力する大量印刷モードを実行し、大量印刷情報が取得されていない場合には、くるみ製本される各印刷物の表紙データと本文データとが交互に印刷装置において印刷されるように表紙データおよび本文データを出力し、かつ大量印刷時とは異なる通常印刷用の給紙トレイ位置指定情報を出力する通常印刷モードを実行するものであることを特徴とする。
【００１４】
また、上記本発明の印刷制御装置においては、印刷装置を、通常給紙トレイと、通常給紙トレイよりも多い枚数の印刷用紙を装填可能であるとともに、通常給紙トレイよりも大きいサイズの印刷用紙を装填可能な大容量給紙トレイとを備えるものとし、印刷情報出力部を、大量印刷モードの場合には、表紙データを印刷する際と本文データを印刷する際との両方において大容量給紙トレイの位置を指定する給紙トレイ位置指定情報を出力し、通常印刷モードの場合には、表紙データを印刷する際には大容量給紙トレイの位置を指定するとともに、本文データを印刷する際には通常給紙トレイの位置を指定する給紙トレイ位置指定情報を出力するものとできる。
【００１５】
また、大量印刷情報取得部を、複数のくるみ製本される印刷物の本文の総印刷枚数を取得し、その総印刷枚数が所定の印刷枚数を超えるか否かを判定し、総印刷枚数が所定の印刷枚数が超える場合には、その判定結果を大量印刷情報として取得するものとできる。
【００１６】
また、大容量給紙トレイを印刷装置に対して着脱可能なものとし、大量印刷情報取得部を、大容量給紙トレイが印刷装置に対して装着されていることを示す情報を大量印刷情報として取得するものとできる。
【００１７】
また、大量印刷モードの場合に、印刷装置において表紙データの印刷が終了したことを示す表紙印刷終了情報を受け付け、その表紙印刷終了情報の受け付けに応じて表紙データの印刷が終了したことを報知する報知部を設けることができる。
【００１８】
また、本文ページが印刷される印刷用紙のサイズ情報または表紙が印刷される印刷用紙のサイズ情報を取得する用紙サイズ情報取得部を設け、印刷情報出力部を、大量印刷情報が取得された場合、用紙サイズ情報取得部によって取得されたサイズ情報と、印刷物の部数が所定値以下か否かとに基づいて、大量印刷モードを実行するか、または、各印刷物の表紙データと本文データとが交互に印刷装置において印刷されるように表紙データおよび本文データを出力し、表紙データを印刷する際には通常給紙トレイの位置を指定するとともに、本文データを印刷する際には大容量給紙トレイの位置を指定する給紙トレイ位置指定情報を出力する第１の表紙小サイズ印刷モードを実行するか、または、各印刷物の表紙に印刷される全ての表紙データが印刷装置において印刷された後、各印刷物の本文に印刷される本文データが印刷装置において印刷されるように表紙データおよび本文データを出力し、表紙データを印刷する際には通常給紙トレイの位置を指定するとともに、本文データを印刷する際には大容量給紙トレイの位置を指定する給紙トレイ位置指定情報を出力する第２の表紙小サイズ印刷モードを実行するかを決定するものとできる。
【００１９】
また、本文ページが印刷される印刷用紙のサイズ情報または表紙が印刷される印刷用紙のサイズ情報を取得する用紙サイズ情報取得部を設け、印刷情報出力部を、大量印刷情報が取得された場合、用紙サイズ情報取得部によって取得されたサイズ情報に基づいて、大量印刷モードを実行するか、もしくは各印刷物の表紙データと本文データとが交互に印刷装置において印刷されるように表紙データおよび本文データを出力し、表紙データを印刷する際には通常給紙トレイの位置を指定するとともに、本文データを印刷する際には大容量給紙トレイの位置を指定する給紙トレイ位置指定情報を出力する表紙小サイズ印刷モードを実行するかを決定するものとできる。
【００２０】
本発明の印刷制御プログラムは、コンピュータを、くるみ製本される印刷物の表紙に印刷される表紙データおよび本文ページに印刷される本文データを印刷装置に出力するとともに、印刷装置において表紙データおよび本文データを印刷する際に使用する印刷用紙の給紙トレイの位置を指定する給紙トレイ位置指定情報を出力する印刷情報出力部と、くるみ製本される複数の印刷物の本文の総印刷枚数が所定の印刷枚数を超えるような大量印刷を行うことを示す大量印刷情報を取得する大量印刷情報取得部として機能させる印刷制御プログラムであって、印刷情報出力部を、大量印刷情報が取得された場合には、複数のくるみ製本される印刷物の表紙に印刷される全ての表紙データが印刷装置において印刷された後、複数のくるみ製本される印刷物の本文に印刷される本文データが印刷装置おいて印刷されるように表紙データおよび本文データを出力し、かつ大量印刷用の給紙トレイ位置指定情報を出力する大量印刷モードを実行し、大量印刷情報が取得されていない場合には、くるみ製本される各印刷物の表紙データと本文データとが交互に印刷装置において印刷されるように表紙データおよび本文データを出力し、かつ大量印刷時とは異なる通常印刷用の給紙トレイ位置指定情報を出力する通常印刷モードを実行するものとできる。
【発明の効果】
【００２１】
本発明の印刷制御装置およびプログラムによれば、くるみ製本される印刷物の印刷部数が閾値以下である場合には、くるみ製本される各印刷物の表紙データと本文データとが交互に印刷装置において印刷されるように表紙データおよび本文データを出力する第１の印刷モードを実行し、印刷部数が所定の閾値より多い場合には、複数のくるみ製本される印刷物の表紙に印刷される全ての表紙データが印刷装置において印刷された後、本文データが印刷装置において印刷されるように表紙データおよび本文データを出力する第２の印刷モードを実行するようにしたので、印刷部数が多い場合において、上述したダウンタイムが頻繁に発生することを回避することができ、これにより生産性を向上させることができる。
【００２２】
一方、現在の製本装置は、印刷装置から排出された印刷済の表紙を受け入れる度にくるみ製本を行うように構成されており、印刷装置から排出された全ての印刷済の表紙を受け入れた後に、くるみ製本を開始するような構成とはなっていない。
【００２３】
したがって、上述した第２の印刷モードを実行して全ての表紙を印刷した後に本文ページを印刷するようにした場合、印刷装置の排紙台に全ての印刷済の表紙を排出した後に、ユーザーがその印刷済の表紙を排紙台から製本装置に移動させる必要がある。
【００２４】
したがって、くるみ製本される印刷部数が少ないときにまで、第２の印刷モードを実行したのでは、上述したダウンタイムよりもユーザーが印刷済の表紙を印刷装置から製本装置に移動させるまでの時間の方が長くなってしまい生産性が低下してしまう。
【００２５】
そこで、本発明の印刷制御装置およびプログラムにおいては、印刷部数が少ない場合には、表紙データと本文データとが交互に印刷装置において印刷されるように表紙データおよび本文データを出力する第１の印刷モードを実行するようにしたので、上述した印刷済の表紙の移動時間を省くことができ、生産性を向上させることができる。
【００２６】
すなわち、本発明の印刷制御装置およびプログラムは、印刷部数が多い場合には、表紙の印刷と本文ページの印刷との切り替えによるダウンタイムが頻発して生産性が低下することを回避するために第２の印刷モードを実行し、印刷部数が少ない場合には、上述したダウンタイムよりも印刷済の表紙の移動時間が長くなって生産性が低下することを回避するために第１の印刷モードを実行するようにしたので、どのような印刷部数であっても常に最も生産効率の良い印刷方法を実行することができる。
【図面の簡単な説明】
【００２７】
【図１】本発明の印刷制御装置の第１の実施形態を用いたプリンタシステムの概略構成を示すブロック図
【図２】くるみ製本された印刷物の一例を示す図
【図３】図１に示すプリンタシステムにおける印刷装置と製本装置の概略構成を示す図
【図４】本発明の印刷制御装置の第１の実施形態を用いたプリンタシステムの作用を説明するためのフローチャート
【図５】表紙の表印刷面の画像割当画面の一例を示す図
【図６】表紙の裏印刷面の画像割当画面の一例を示す図
【図７】本文ページの表面の画像割当画面の一例を示す図
【図８】くるみ製本の印刷条件設定画面の一例を示す図
【図９】第１の印刷モードの際の作用を説明するためのフローチャート
【図１０】印刷モードの変更を促すメッセージ画面の一例を示す図
【図１１】印刷モード変更画面の一例を示す図
【図１２】第２の印刷モードの際の作用を説明するためのフローチャート
【図１３】表紙データの印刷終了を示すとともに、印刷済表紙の移動を促すメッセージ画面の一例を示す図
【図１４】第１の印刷モードと第２の印刷モードとの処理時間を説明するための図
【図１５】本発明の印刷制御装置の第１の実施形態を用いたプリンタシステムの変形例の概略構成図
【図１６】図１５に示すプリンタシステムの作用を説明するためのフローチャート
【図１７】従来の複数のくるみ製本の印刷物の印刷方法におけるダウンタイムの発生を説明するための図
【図１８】本発明の印刷制御装置の第２の実施形態を用いたプリンタシステムの概略構成を示すブロック図
【図１９】第２の実施形態のプリンタシステムにおける印刷装置と製本装置の概略構成を示す図
【図２０】本発明の印刷制御装置の第２の実施形態を用いたプリンタシステムの作用を説明するためのフローチャート
【図２１】くるみ製本の印刷条件設定画面の一例を示す図
【図２２】大量印刷モード選択画面の一例を示す図
【図２３】大量印刷モードの際の作用を説明するためのフローチャート
【図２４】大量印刷モードと通常印刷モードとにおける印刷順および給紙トレイ位置を示す表
【図２５】通常印刷モードの際の作用を説明するためのフローチャート
【図２６】本発明の印刷制御装置の第３の実施形態を用いたプリンタシステムの概略構成を示すブロック図
【図２７】本発明の印刷制御装置の第３の実施形態を用いたプリンタシステムの作用を説明するためのフローチャート
【図２８】少量印刷モードの際の作用を説明するためのフローチャート
【図２９】大量印刷モード、通常印刷モード、少量印刷モードおよび表紙小サイズ印刷モードにおける印刷順および給紙トレイ位置を示す表
【図３０】表紙小サイズ印刷モードの際の作用を説明するためのフローチャート
【図３１】本発明の印刷制御装置の第３の実施形態の変形例を用いたプリンタシステムの作用を説明するためのフローチャート
【図３２】第２の通常印刷モードの際の作用を説明するためのフローチャート
【図３３】大量印刷モード、第１および第２の通常印刷モード、第１および第２の少量印刷モードおよび第１および第２の表紙小サイズ印刷モードにおける印刷順および給紙トレイ位置を示す表
【図３４】従来の印刷装置の概略構成を示す図
【発明を実施するための形態】
【００２８】
以下、図面を参照して本発明の印刷制御装置およびプログラムの第１の実施形態を用いたプリンタシステムについて詳細に説明する。図１は、本実施形態のプリンタシステム１の全体概略構成を示すブロック図である。
【００２９】
本実施形態のプリンタシステム１は、図１に示すように、コンピュータ１０と、コンピュータ１０に有線または無線ＬＡＮなどのネットワークを介して接続された印刷装置３０と、印刷装置３０において印刷処理の施された印刷用紙を用いてくるみ製本を行う製本装置４０とを備えている。また、コンピュータ１０には、印刷条件や出力方法や製本方法などのユーザーによる指定を受け付ける入力装置５０と、所定の設定入力画面などを表示するモニタ６０が接続されている。
【００３０】
コンピュータ１０は、中央処理装置（ＣＰＵ）および半導体メモリやハードディスクやＳＳＤ(Solid State Drive)等のストレージデバイスなどを備えている。そして、このハードディスクなどに、メモ帳やＷｏｒｄ（登録商標）などのような原稿を表す画像データを編集することができるプログラムがインストールされることによって画像データ生成部１１が構成され、くるみ製本情報生成プログラム（本発明の印刷制御プログラムの一実施形態を含む）がインストールされることによってくるみ製本情報生成部（本発明の印刷制御装置の一実施形態を含む）１２が構成されている。
【００３１】
ここで、図２に、くるみ製本された印刷物の一例を示す。くるみ製本の印刷物は、図２に示すように、表表紙面、裏表紙面および背表紙面からなる表印刷面と、表表紙面の裏面および裏表紙面の裏面とのり付け部分とからなる裏印刷面とを有する表紙と、表面および裏面の印刷面を有する複数の本文ページとから構成されるものである。
【００３２】
くるみ製本情報生成部１２は、画像データ取得部２０、くるみ製本用画像データ生成部２１、印刷情報出力部２２、印刷部数情報取得部２３、印刷モード変更受付部２４、印刷モード変更報知部２５、および表紙印刷終了報知部２６を備えている。そして、ハードディスクにインストールされたくるみ製本情報生成プログラムが中央処理装置によって実行されることによって上記各部がそれぞれ機能する。
【００３３】
以下、くるみ製本情報生成部１２の各部について詳細に説明する。
【００３４】
画像データ取得部２０は、画像データ生成部１１において生成されたくるみ製本の表紙に印刷される画像データと本文ページに印刷される画像データとを取得するものである。具体的には、画像データ取得部２０は、くるみ製本情報生成部１２によってモニタ６０に表示された画像割当画面においてユーザーによって指定された表紙および本文ページの画像データを画像データ生成部１１から取得するものである。本実施形態においては、画像データ生成部１１から画像データ取得部２０に出力される画像データの形式はＰＤＦ（Portable Document Format）データである。なお、表紙および本文ページに印刷される画像データの具体的な指定方法については、後で詳述する。
【００３５】
くるみ製本用画像データ生成部２１は、画像割当画面をモニタ６０に表示させて表紙および本文ページに割り当てられる画像データのファイルの指定を受け付け、表紙および本文ページの印刷領域にその受け付けた画像データを割り当てるとともに、その割り当てられた画像データに基づいて、表紙の表印刷面と裏印刷面に印刷される表紙データと本文ページの表面と裏面に印刷される本文データを生成するものである。
【００３６】
印刷情報出力部２２は、くるみ製本用画像データ生成部２１において生成された表紙データと本文データを含む印刷ジョブデータを生成して出力するものである。
【００３７】
そして、本実施形態の印刷情報出力部２２は、印刷部数情報取得部２３によって取得された印刷部数が所定の閾値以下である場合には、第１の印刷モードを実行して第１の印刷モードの印刷ジョブデータを生成し、印刷部数情報取得部２３によって取得された印刷部数が所定の閾値よりも多い場合には、第２の印刷モードを実行して第２の印刷モードの印刷ジョブデータを生成するものである。
【００３８】
より具体的には、印刷情報出力部２２は、第１の印刷モードの場合には、くるみ製本される各印刷物の表紙データと本文データとが交互に印刷装置３０において印刷されるように表紙データおよび本文データを出力する印刷ジョブデータを生成するものである。なお、このような印刷ジョブデータとしては、たとえば各印刷物の表紙データと本文データとを交互に配列したデータ構造としてもよいし、表紙データと本文データとこれらの出力順の情報とを有するデータ構造としてもよい。
【００３９】
また、印刷情報出力部２２は、第２の印刷モードの場合には、複数のくるみ製本される印刷物の表紙に印刷される全ての表紙データが印刷装置３０において全て印刷された後、本文データが印刷装置３０において印刷されるように表紙データおよび本文データを出力する印刷ジョブデータを生成するものである。なお、このような印刷ジョブデータとしては、たとえば全ての表紙データを印刷順に配列した後に、全ての本文ページを配列したデータ構造としてもよいし、表紙データと本文データとこれらの出力順の情報とを有するデータ構造としてもよい。
【００４０】
印刷部数情報取得部２３は、くるみ製本される複数の印刷物の印刷部数の情報を取得するものである。本実施形態における印刷部数情報取得部２３は、後述するくるみ製本の印刷条件設定画面において設定入力された部数を取得することによって印刷部数情報を取得するものである。
【００４１】
印刷モード変更受付部２４は、印刷情報出力部２２における印刷モードの変更を受け付けるものである。本実施形態においては、印刷情報出力部２２に初期設定として第１の印刷モードが予め設定されているものとし、印刷部数情報取得部２３によって取得された印刷部数が所定の閾値より多い場合には、印刷モード変更受付部２４によって第１の印刷モードから第２の印刷モードへの変更が受け付けられる。なお、これに限らず、印刷情報出力部２２に初期設定として第２の印刷モードを予め設定し、印刷部数情報取得部２３によって取得された印刷部数が所定の閾値以下である場合に、印刷モード変更受付部２４によって第２の印刷モードから第１の印刷モードへの変更を受け付けるようにしてもよい。
【００４２】
印刷モード変更報知部２５は、くるみ製本される複数の印刷物の印刷部数の情報に基づいて、印刷モードの変更をユーザーに対して促すように報知するものである。具体的には、本実施形態の印刷モード変更報知部２５は、印刷モードの変更を促すメッセージをモニタ６０に表示させるものである。本実施形態においては、上述したように印刷情報出力部２２に初期設定として第１の印刷モードが予め設定されているので、印刷モード変更報知部２５は、印刷部数情報取得部２３によって取得された印刷部数が所定の閾値より多い場合に、第１の印刷モードから第２の印刷モードへの変更を促すメッセージをモニタ６０に表示するものである。なお、これに限らず、印刷情報出力部２２に初期設定として第２の印刷モードを予め設定し、印刷部数が所定の閾値以下である場合に、第２の印刷モードから第１の印刷モードへの変更を促すメッセージをモニタ６０に表示させるようにしてもよい。
【００４３】
表紙印刷終了報知部２６は、印刷情報出力部２２において第２の印刷モードが実行された場合に、印刷装置３０において表紙データの印刷が終了したことを示す表紙印刷終了情報を受け付け、その表紙印刷終了情報の受け付けに応じて表紙データの印刷が終了したことを報知するものである。本実施形態の表紙印刷終了報知部２６は、具体的には、モニタ６０に表紙データの印刷が終了したことを示すメッセージを表示させるものである。なお、表紙データの印刷が終了したことを報知する方法としては、このようなメッセージ表示に限らず、音で知らせたり、ランプを点灯させたりしてもよい。
【００４４】
また、コンピュータ１０のハードディスクにはプリンタドライバ１３がインストールされている。プリンタドライバ１３は、くるみ製本情報生成部１２から出力された印刷ジョブデータを、印刷装置３０において認識可能なＰＤＬ（Page Description Language）データからなる印刷データに変換して印刷装置３０に出力するものである。
【００４５】
図３に、印刷装置３０と製本装置４０の具体的な構成を示す。
【００４６】
印刷装置３０は、図３に示すように、コンピュータ１０のプリンタドライバ１３から出力された印刷ジョブデータに基づいて印刷用紙に印刷処理を施す印刷処理部３１を備えている。この印刷処理部３１としては、たとえば、孔版印刷処理やインクジェットプリント処理やレーザープリント処理などを行うものを用いることができる。
【００４７】
また、印刷装置３０には、くるみ製本の印刷物の表紙や本文ページに用いられる印刷用紙が装填される３つのトレイ１〜トレイ３と、トレイ１〜トレイ３から印刷用紙をピックアップして印刷処理部３１に供給する給紙機構（図示省略）が設けられている。
【００４８】
また、印刷装置３０には、印刷装置３０全体を制御する制御部３３が設けられており、本実施形態における制御部３３は、特に、コンピュータ１０内の印刷情報出力部２２において第２の印刷モードが実行された場合に、印刷処理部３１において表紙データの印刷が終了したことを示す表紙印刷終了情報をコンピュータ１０内の表紙印刷終了報知部２６に出力するものである。
【００４９】
また、印刷装置３０には、コンピュータ１０内の印刷情報出力部２２において第２の印刷モードが実行された場合に、印刷済の表紙が排紙される排紙台３２が設けられている。
【００５０】
製本装置４０は、印刷装置３０において印刷処理の施された表紙および本文ページを用いてくるみ製本を行うくるみ製本部４１と、コンピュータ１０内の印刷情報出力部２２において第２の印刷モードが実行された際、本文ページよりも先に印刷された複数の印刷済の表紙が装填される印刷済表紙給紙ユニット４２とを備えている。
【００５１】
くるみ製本部４１は、印刷情報出力部２２において第１の印刷モードが実行された際には、印刷装置３０から排出される表紙と本文ページとを用いてくるみ製本を行い、印刷情報出力部２２において第２の印刷モードが実行された際には、印刷済表紙給紙ユニット４２から印刷済の表紙をピックアップし、この表紙と印刷装置３０から排出される本文ページとを用いてくるみ製本を行うものである。なお、第１の印刷モードの際には、上述したようにくるみ製本される各印刷物の表紙と複数枚の本文ページとが印刷装置３０から交互に排紙される。
【００５２】
次に、本実施形態のプリンタシステム１の作用について、図４に示すフローチャートを参照しながら説明する。
【００５３】
まず、ユーザーによって画像データ生成部１１が起動され、ユーザーによって文書、イラスト、写真画像などが編集され、くるみ製本の表紙に印刷される画像データと本文ページに印刷される画像データとが生成されて記憶される（Ｓ１０）。
【００５４】
次に、ユーザーによってくるみ製本情報生成部１２が起動され、くるみ製本用画像データ生成部２１によって、図５から図７に示すような画像割当画面がモニタ６０に表示される。そして、たとえば、図５に示す画像割当画面上においては、「表表紙」、「裏表紙」、「背表紙」のいずれかの印刷領域がユーザーによって指定されるとともに、その指定された印刷領域に割り当てる画像データのファイル名が選択される。なお、画像データのファイル名の選択については、たとえば画像データ生成部１１において生成された画像データのファイル名がプルダウンメニュー（図示省略）によって表示され、そのプルダウンメニュー内のファイル名を選択することによって行われる。
【００５５】
また、図６に示す画像割当画面上においては、「表表紙の裏面」または「裏表紙の裏面」の印刷領域がユーザーによって指定されるとともに、その指定された印刷領域に割り当てる画像データのファイル名が選択される。
【００５６】
また、図７に示す画像割当画面上においては、「本文」の印刷領域がユーザーによって指定されるとともに、その指定された印刷領域に割り当てる画像データのファイル名が選択される。
【００５７】
なお、図５〜図７の画像割当画面の左側に表示されているサムネイル画像のいずれかを指定することによって、画像割当画面の右側に表示されているプレビュー画面ＰＶが切り替えられるものとする。そして、本文ページについては、図７に示されている本文ページのサムネイル画像のいずれかを指定することによって、プレビュー画面ＰＶのページ、表面および裏面が切り替えられるものとする。
【００５８】
そして、表紙および本文ページの各印刷領域の画像データの選択が終了すると、表紙のおよび本文ページの各印刷領域に割り当てられる画像データが、画像データ生成部１１から出力され、画像データ取得部２０によって取得される（Ｓ１２）。
【００５９】
そして、画像データ取得部２０によって取得された画像データはくるみ製本用画像データ生成部２１に入力され、くるみ製本用画像データ生成部２１は、入力された画像データを表紙および本文ページの各印刷領域に割り当て、図５〜図７に示すプレビュー画面ＰＶに表紙および本文ページのプレビュー画像を表示する（Ｓ１４）。
【００６０】
次いで、モニタ６０に表示された印刷指示ボタン（図示省略）がマウスなどの入力装置５０によって押下されると、くるみ製本用画像データ生成部２１が、表紙および本文ページに割り当てられた画像データに基づいて、表紙の表印刷面および裏印刷面に印刷される表紙データを生成するとともに、本文ページの表面および裏面に印刷される本文データを生成し、これらを印刷情報出力部２２に出力する。また、印刷情報出力部２２が、図８に示すような、くるみ製本の印刷条件設定画面をモニタ６０に表示する。そして、モニタ６０に表示された印刷条件設定画面において、くるみ製本する印刷物の部数などがユーザーによって入力される（Ｓ１６）。
【００６１】
次いで、図８に示す印刷条件設定画面における「印刷」ボタンがユーザーによって押下されると、印刷条件設定画面において設定入力された印刷部数の情報が印刷部数情報取得部２３によって取得され、印刷情報出力部２２が、印刷部数情報取得部２３によって取得された印刷部数が所定の閾値より多いか否かを確認する。
【００６２】
そして、印刷情報出力部２２は、印刷部数が所定の閾値以下である場合には（Ｓ１８，ＮＯ）、初期設定として設定されている第１の印刷モードを実行する。
【００６３】
ここで、第１の印刷モードの際の作用について、図９に示すフローチャートを参照しながら説明する。
【００６４】
第１の印刷モードの際には、コンピュータ１０の印刷情報出力部２２は、くるみ製本される各印刷物の表紙データと本文データとが交互に印刷装置３０において印刷されるように表紙データおよび本文データを出力する印刷ジョブデータを生成してプリンタドライバ１３に出力する（Ｓ５０）。
【００６５】
そして、プリンタドライバ１３は、入力された印刷ジョブデータをＰＤＬデータの印刷データに変換して印刷装置３０に出力する。
【００６６】
次いで、印刷装置３０の制御部３３が、入力された印刷データに基づいて印刷処理部３１および給紙機構を制御することによって、トレイ１〜トレイ３のうちの表紙の印刷用紙が設置されたトレイから表紙の印刷用紙を１枚ピックアップして表紙を１枚印刷し、次いで、トレイ１〜３のうちの本文ページの印刷用紙が設置されたトレイから１部の本文ページをピックアップして本文ページを印刷し、この印刷済の表紙および本文ページを製本装置４０に順次出力する。その後、制御部３３は、同様にして、１枚の表紙の印刷と１部の本文ページの印刷とを交互に繰り返して行って製本装置に順次出力する（Ｓ５２）。
【００６７】
製本装置４０は、１枚の印刷済表紙と１部の印刷済本文ページとが入力される毎にくるみ製本を行うことによって、くるみ製本された印刷物を順次出力する（Ｓ５４）。
【００６８】
一方、Ｓ１８において、印刷部数が所定の閾値より多い場合には（Ｓ１８，ＹＥＳ）、印刷モード変更報知部２５によって、図１０に示すような印刷モードの変更を促すメッセージがモニタ６０に表示される。
【００６９】
そして、このメッセージ画面において、ユーザーによって「はい」が押下された場合には、印刷モード変更受付部２４によって、図１１に示すような印刷モード変更画面がモニタ６０に表示される。
【００７０】
次いで、この印刷モード変更画面において、ユーザーによって「表紙を全部印刷した後、本文を印刷する」のラジオボタンが選択された場合には（Ｓ２０，ＹＥＳ）、印刷情報出力部２２によって第２の印刷モードが実行される（Ｓ２２）。
【００７１】
ここで、第２の印刷モードの際の作用について、図１２に示すフローチャートを参照しながら説明する。
【００７２】
第２の印刷モードに変更されると、コンピュータ１０の印刷情報出力部２２は、複数のくるみ製本される印刷物の表紙に印刷される全ての表紙データが印刷装置３０において全て印刷された後、複数のくるみ製本される印刷物の本文に印刷される本文データが印刷装置３０において印刷されるように表紙データおよび本文データを出力する印刷ジョブデータを生成してプリンタドライバ１３に出力する（Ｓ３０）。
【００７３】
そして、プリンタドライバ１３は、入力された印刷ジョブデータをＰＤＬデータの印刷データに変換して印刷装置３０に出力する。
【００７４】
次いで、制御部３３は、入力された印刷データに基づいて印刷処理部３１および給紙機構を制御することによって、トレイ１〜トレイ３のうちの表紙の印刷用紙が設置されたトレイから表紙の印刷用紙をピックアップして、まず、複数のくるみ製本の印刷物の全ての表紙を印刷し、その印刷済表紙を排紙台３２に出力する（Ｓ３２）。
【００７５】
そして、全ての表紙の印刷が終了した際、制御部３３は、一旦印刷を中断し、コンピュータ１０の表紙印刷終了報知部２６に対して、全ての表紙の印刷が終了したことを示す信号を出力する。コンピュータ１０の表紙印刷終了報知部２６は、上記信号に応じて、図１３に示すような、表紙データの印刷が終了したことを示すとともに、印刷済表紙の移動を促すようなメッセージをモニタ６０に表示させる。
【００７６】
モニタ６０に上記メッセージが表示されると、ユーザーは印刷装置３０の排紙台３２に出力された印刷済表紙を取り出し、これを製本装置４０の印刷済表紙給紙ユニット４２に設置する（Ｓ３４）。
【００７７】
そして、印刷装置３０においてユーザーによって本文ページの印刷開始指示が行われると、制御部３３は、入力された印刷データに基づいて、トレイ１〜トレイ３のうちの本文ページの印刷用紙が設置されたトレイから本文ページの印刷用紙をピックアップするとともに印刷処理部３１を制御することによって、くるみ製本される各印刷物の本文ページを印刷し、その印刷済本文ページを製本装置４０に出力する（Ｓ３６）。
【００７８】
製本装置４０は、印刷済表紙給紙ユニット４２から印刷済表紙を１枚ずつピックアップするとともに、１部の印刷済本文ページが入力される毎にくるみ製本を行うことによって、複数のくるみ製本された印刷物を順次出力する（Ｓ３８）。
【００７９】
なお、Ｓ２０において、図１０に示すメッセージ画面でユーザーによって「いいえ」が押下された場合、もしくは図１１に示す印刷モード変更画面において印刷モードの変更が受け付けられなかった場合には、上述した第１の印刷モードが実行される。
【００８０】
また、上述したくるみ製本の印刷物の部数の閾値としては、たとえば、表紙の印刷用紙が設置された給紙トレイと本文ページの印刷用紙が設置された給紙トレイとの切り替え時間が２．５秒、すなわち１部当たりのダウンタイムが２．５秒×２＝５秒であり、一方、表紙を印刷した後、その印刷済の表紙を製本装置４０の印刷済表紙給紙ユニット４２にセットするまでの時間が６０秒程度である場合には１２部を閾値とし、部数が１２部以下の場合には第１の印刷モードを実行し、部数が１３部以上の場合には第２の印刷モードを実行するようにすればよい。
【００８１】
上記実施形態のプリンタシステム１によれば、くるみ製本される印刷物の印刷部数が閾値以下である場合には、くるみ製本される各印刷物の表紙データと本文データとが交互に印刷装置において印刷されるように表紙データおよび本文データを出力する第１の印刷モードを実行し、印刷部数が所定の閾値より多い場合には、複数のくるみ製本される印刷物の表紙に印刷される全ての表紙データが印刷装置において印刷された後、本文データが印刷装置において印刷されるように表紙データおよび本文データを出力する第２の印刷モードを実行するようにしたので、印刷部数が多い場合において、上述したダウンタイムが頻繁に発生することを回避することができ、これにより生産性を向上させることができる。
【００８２】
一方、上述したように、くるみ製本される印刷部数が少ないときにまで、第２の印刷モードを実行したのでは、上述したダウンタイムよりもユーザーが印刷済の表紙を印刷装置から製本装置に移動させるまでの時間の方が長くなってしまい生産性が低下してしまう。
【００８３】
そこで、上記実施形態のプリンタシステム１においては、印刷部数が少ない場合には、表紙データと本文データとが交互に印刷装置において印刷されるように表紙データおよび本文データを出力する第１の印刷モードを実行するようにしたので、上述した印刷済の表紙の移動時間を省くことができ、生産性を向上させることができる。
【００８４】
次に、上記実施形態のプリンタシステム１の変形例について説明する。上記実施形態のプリンタシステム１においては、印刷部数が所定の閾値より多い場合に、第２の印刷モードを実行するようにしたが、第２の印刷モードのように全ての表紙データを印刷した後、本文データを印刷する場合、全ての表紙データに対する展開処理後でしか印刷処理を開始することができない。
【００８５】
そして、たとえば表紙データにシリアル番号が含まれている場合など各表紙データの内容が互いに異なり、また各表紙データのデータ量が多い場合には、全ての表紙データの展開処理に長い時間を要してしまい、むしろ第１の印刷モードよりも生産性が低下してしまう場合もある。
【００８６】
具体的には、図１４に示すように、第２の印刷モードでは、上述したように全ての表紙データの展開処理が終了しなければ印刷処理を開始することができないが、第１の印刷モードの場合、１部目の表紙データに対して展開処理を施した後、１部目の表紙データおよび本文データの印刷の間に、少なくとも次の２部目の表紙データの展開処理を開始することができ、その後も各表紙データの展開処理と印刷処理とを平行して行うことができるので、実質的に２部目以降の表紙データの展開処理時間は無視することができる。
【００８７】
したがって、表紙データの展開処理時間によっては、第２の印刷モードよりも第１の印刷モードを実行した方が、生産性が向上する場合がある。
【００８８】
そこで、変形例のプリンタシステム２においては、表紙データの展開処理時間も考慮して第１の印刷モードを実行するか、第２の印刷モードを実行するかを決定する。
【００８９】
具体的には、プリンタシステム２は、図１５に示すように、上記実施形態のプリンタシステム１に対してさらに処理時間取得部２７を備えている。
【００９０】
処理時間取得部２７は、第１の印刷モードを実行した場合の処理時間と、第２の印刷モードを実行した場合の処理時間とを取得するものであるが、ここでは第１の印刷モードと第２の印刷モードとにおける共通の処理時間（表紙データおよび本文データの印刷処理時間、本文データの展開処理時間、製本処理時間）は考慮しないこととし、第１の印刷モードと第２の印刷モードとで異なる処理時間のみを取得するようにする。
【００９１】
より具体的には、第１の印刷モードの処理時間Ｔ１として、１部目の表紙データの展開処理時間と、給紙トレイの切り替え時間×２×印刷部数との加算値を取得する。また、第２の印刷モードの処理時間Ｔ２として、全ての表紙データの展開処理時間と、印刷済表紙を製本装置４０の印刷済表紙給紙ユニット４２にセットするまでの移動時間との加算値を取得する。なお、給紙トレイの切り替え時間と印刷済表紙の移動時間については予め設定されているものとする。
【００９２】
プリンタシステム２のその他の構成については、上記実施形態のプリンタシステム１と同様である。
【００９３】
図１６は、プリンタシステム２の作用を説明するためのフローチャートである。図１６におけるＳ６０〜Ｓ６８については、図４に示すフローチャートにおけるＳ１０〜Ｓ１８と同様である。
【００９４】
そして、プリンタシステム２においては、Ｓ６８において印刷部数が所定の閾値よりも多いと判断された場合には、処理時間取得部２７において、上述した第１の印刷モードの処理時間Ｔ１と第２の印刷モードの処理時間Ｔ２とを取得する（Ｓ７０）。
【００９５】
そして、第１の印刷モードの処理時間Ｔ１が第２の印刷モードの処理時間Ｔ２よりも大きい場合には（Ｓ７２，ＹＥＳ）、印刷モード変更報知部２５によって、図１０に示すような印刷モードの変更を促すメッセージがモニタ６０に表示される。
【００９６】
そして、このメッセージ画面において、ユーザーによって「はい」が押下された場合には、印刷モード変更受付部２４によって、図１１に示すような印刷モード変更画面がモニタ６０に表示される。
【００９７】
次いで、この印刷モード変更画面において、ユーザーによって「表紙を全部印刷した後、本文を印刷する」のラジオボタンが選択された場合には（Ｓ７４，ＹＥＳ）、印刷情報出力部２２によって第２の印刷モードが実行される（Ｓ７６）。
【００９８】
一方、第１の印刷モードの処理時間Ｔ１が第２の印刷モードの処理時間Ｔ２以下である場合（Ｓ７２，ＮＯ）には、印刷情報出力部２２によって第１の印刷モードが実行される（Ｓ７８）。なお、Ｓ７４において、図１０に示すメッセージ画面でユーザーによって「いいえ」が押下された場合、もしくは図１１に示す印刷モード変更画面において印刷モードの変更が受け付けられなかった場合にも第１の印刷モードが実行される。
【００９９】
上記プリンタシステム２によれば、表紙データの展開処理時間も考慮して第１の印刷モードを実行するか、第２の印刷モードを実行するかを決定するようにしたので、より生産性を向上を図ることができる。
【０１００】
次に、図３４に、印刷装置１５０と製本装置２５０とから構成される従来のプリンタシステムの一例を示す。図３４に示すプリンタシステムにおける印刷装置１５０は、印刷用紙を給紙するトレイ１〜トレイ３を備えるとともに、トレイ１〜トレイ３よりも大きなサイズの印刷用紙を給紙可能なストレート給紙台１５１を備えている。
【０１０１】
そして、図３４に示すような構成の印刷装置において表紙および本文ページを印刷する際、たとえば本文ページの印刷用紙のサイズがＡ４サイズであって、表紙の印刷用紙のサイズがＡ３サイズより大きいサイズであり、これに対し、トレイ１〜トレイ３に設置可能な印刷用紙のサイズがＡ３サイズ以下である場合には、トレイ１〜トレイ３に表紙の印刷用紙を適切に設置することができないため、ストレート給紙台１０１に表紙の印刷用紙を設置するとともに、トレイ１〜トレイ３に本文ページの印刷用紙を設置して表紙および本文ページの印刷を行うことになる。
【０１０２】
ここで、たとえば多数のくるみ製本された印刷物を取得する場合、その多数の印刷物の本文ページの総印刷枚数がトレイ１〜トレイ３の最大積載量よりも少ない場合には特に問題はないが、たとえば本文ページの総印刷枚数がトレイ１〜トレイ３の最大積載量よりも多い場合にはトレイ１〜トレイ３への給紙を複数回行う必要がある。
【０１０３】
たとえば、各トレイの印刷用紙の最大積載量が５００枚である場合に、本文ページが１００ページ（印刷用紙は５０枚）の印刷物を１００冊取得する場合には、本文ページの印刷用紙を５０００枚給紙する必要があるため、３つのトレイの最大積載量である１５００枚ずつ給紙したとしても、合計４回の給紙が必要となり手間がかかり、全体の作業時間も増加してしまう。
【０１０４】
一方、上述したような５０００枚といった大量の印刷を行う場合、大量の印刷用紙を給紙可能な大容量給紙トレイを用いることが行われている。この大容量給紙トレイは、印刷装置に着脱可能なものとして構成されており、大量印刷を行う場合に、ストレート給紙台の給紙位置に接続されて用いられるものである。
【０１０５】
しかしながら、この大容量給紙トレイを用いたとしても、上述したように表紙の印刷用紙のサイズが、トレイ１〜トレイ３に設置可能な印刷用紙のサイズよりも大きい場合には、大容量給紙トレイに表紙を設置する必要があるので、上記と同様に、本文ページの印刷用紙を複数回に亘ってトレイ１〜トレイ３に給紙する必要があり、全体の作業時間が増加してしまう。
【０１０６】
そこで、上述したような本文ページの印刷用紙の複数回に亘るトレイ１〜トレイ３への給紙を行うことなく、全体の作業時間の短縮を図ることができる第２の実施形態のプリンタシステム３について説明する。
【０１０７】
図１８は、本実施形態のプリンタシステム３の全体概略構成を示すブロック図である。
【０１０８】
本実施形態のプリンタシステム３は、図１８に示すように、コンピュータ１００と、コンピュータ１００に有線または無線ＬＡＮなどのネットワークを介して接続された印刷装置３００と、印刷装置３００において印刷処理の施された印刷用紙を用いてくるみ製本を行う製本装置４００とを備えている。また、コンピュータ１００には、上記第１の実施形態と同様の、入力装置５０とモニタ６０とが接続されている。
【０１０９】
コンピュータ１００は、上記第１の実施形態と同様に、中央処理装置（ＣＰＵ）および半導体メモリやハードディスクやＳＳＤ(Solid State Drive)等のストレージデバイスなどを備えている。そして、このハードディスクなどに、メモ帳やＷｏｒｄ（登録商標）などのような原稿を表す画像データを編集することができるプログラムがインストールされることによって画像データ生成部１１０が構成され、くるみ製本情報生成プログラムがインストールされることによってくるみ製本情報生成部１２０が構成されている。
【０１１０】
くるみ製本情報生成部１２０は、画像データ取得部２００、くるみ製本用画像データ生成部２１０、印刷情報出力部２２０、大量印刷情報取得部２３０および表紙印刷終了報知部２４０を備えている。そして、ハードディスクにインストールされたくるみ製本情報生成プログラムが中央処理装置によって実行されることによって上記各部がそれぞれ機能する。
【０１１１】
以下、くるみ製本情報生成部１２０の各部について詳細に説明する。
【０１１２】
画像データ取得部２００は、画像データ生成部１１０において生成されたくるみ製本の表紙に印刷される画像データと本文ページに印刷される画像データとを取得するものである。具体的には、画像データ取得部２００は、くるみ製本情報生成部１２０によってモニタ６０に表示された画像割当画面においてユーザーによって指定された表紙および本文ページの画像データを画像データ生成部１１０から取得するものである。本実施形態においては、画像データ生成部１１０から画像データ取得部２００に出力される画像データの形式はＰＤＦデータである。なお、表紙および本文ページに印刷される画像データの具体的な指定方法については、後で詳述する。
【０１１３】
くるみ製本用画像データ生成部２１０は、画像割当画面をモニタ６０に表示させて表紙および本文ページに割り当てられる画像データのファイルの指定を受け付け、表紙および本文ページの印刷領域にその受け付けた画像データを割り当てるとともに、その割り当てられた画像データに基づいて、表紙の表印刷面と裏印刷面に印刷される表紙データと本文ページの表面と裏面に印刷される本文データを生成するものである。
【０１１４】
印刷情報出力部２２０は、くるみ製本用画像データ生成部２１０において生成された表紙データと本文データと、印刷装置３００において表紙データおよび本文データを印刷する際に使用する印刷用紙の給紙トレイの位置を指定する給紙トレイ位置指定情報とを含む印刷ジョブデータを生成して出力するものである。
【０１１５】
そして、本実施形態の印刷情報出力部２２０は、大量印刷情報取得部２３０において、後述する大量印刷情報が取得された場合には、大量印刷モードを実行して大量印刷モードの印刷ジョブデータを生成し、大量印刷情報が取得されていない場合には、通常印刷モードを実行して通常印刷モードの印刷ジョブデータを生成するものである。
【０１１６】
より具体的には、印刷情報出力部２２０は、大量印刷モードの場合には、複数のくるみ製本される印刷物の表紙に印刷される全ての表紙データが印刷装置３００において印刷された後、その複数の印刷物の本文に印刷される本文データが印刷装置３００において印刷されるように表紙データおよび本文データを出力する印刷ジョブデータであって、かつ表紙データを印刷する際と本文データを印刷する際との両方において、後述する大容量給紙トレイ３２０の位置を指定する給紙トレイ位置指定情報を出力する印刷ジョブデータを生成するものである。なお、このような印刷ジョブデータとしては、たとえば全ての表紙データを印刷順に配列した後に、全ての本文ページを配列したデータ構造としてもよいし、表紙データと本文データとこれらの出力順の情報とを有するデータ構造としてもよい。
【０１１７】
また、印刷情報出力部２２０は、通常印刷モードの場合には、くるみ製本される各印刷物の表紙データと本文データとが交互に印刷装置３００において印刷されるように表紙データおよび本文データを出力する印刷ジョブデータであって、かつ表紙データを印刷する際には大容量給紙トレイ３２０の位置を指定するとともに、本文データを印刷する際には、後述する通常給紙トレイ（トレイ１〜トレイ３）の位置を指定する給紙トレイ位置指定情報を出力する印刷ジョブデータを生成するものである。なお、このような印刷ジョブデータとしては、たとえば各印刷物の表紙データと本文データとを交互に配列したデータ構造としてもよいし、表紙データと本文データとこれらの出力順の情報とを有するデータ構造としてもよい。
【０１１８】
大量印刷情報取得部２３０は、くるみ製本される複数の印刷物の本文の総印刷枚数が所定の印刷枚数を超えるような大量印刷を行うことを示す大量印刷情報を取得するものである。本実施形態における大量印刷情報取得部２３０は、後述する大容量給紙トレイ３２０が印刷装置に対して装着されていることを示す検出信号を大量印刷情報として取得するものである。
【０１１９】
なお、大量印刷情報としては、上述した検出信号に限らず、たとえば複数のくるみ製本される印刷物の本文の総印刷枚数を取得し、その総印刷枚数が所定の印刷枚数を超えるか否かを判定し、その総印刷枚数が所定の印刷枚数が超える場合には、その判定結果を大量印刷情報として取得するようにしてもよい。
【０１２０】
表紙印刷終了報知部２４０は、印刷情報出力部２２０において大量印刷モードが実行された場合に、印刷装置３００において表紙データの印刷が終了したことを示す表紙印刷終了情報を受け付け、その表紙印刷終了情報の受け付けに応じて表紙データの印刷が終了したことを報知するものである。本実施形態の表紙印刷終了報知部２４０は、具体的には、モニタ６０に表紙データの印刷が終了したことを示すメッセージを表示させるものである。なお、表紙データの印刷が終了したことを報知する方法としては、このようなメッセージ表示に限らず、音で知らせたり、ランプを点灯させたりしてもよい。
【０１２１】
また、コンピュータ１００のハードディスクにはプリンタドライバ１３０がインストールされている。プリンタドライバ１３０は、くるみ製本情報生成部１２０から出力された印刷ジョブデータを、印刷装置３００において認識可能なＰＤＬデータからなる印刷データに変換して印刷装置３００に出力するものである。
【０１２２】
図１９に、印刷装置３００と製本装置４００の具体的な構成を示す。
【０１２３】
印刷装置３００は、図１９に示すように、コンピュータ１００のプリンタドライバ１３０から出力された印刷ジョブデータに基づいて印刷用紙に印刷処理を施す印刷処理部３１０を備えている。この印刷処理部３１０としては、たとえば、孔版印刷処理やインクジェットプリント処理やレーザープリント処理などを行うものを用いることができる。
【０１２４】
また、印刷装置３００は、くるみ製本の印刷物の表紙や本文ページに用いられる印刷用紙が装填される３つのトレイ１〜トレイ３（以下、トレイ１〜トレイ３をまとめて通常給紙トレイという）を備えるとともに、この通常給紙トレイよりも多い枚数の印刷用紙が装填可能であるとともに、通常給紙トレイよりも大きいサイズの印刷用紙が装填可能な大容量給紙トレイ３２０が着脱可能に構成されている。
【０１２５】
具体的には、本実施形態の印刷装置３００においては、通常給紙トレイの各トレイには１５００枚ずつ印刷用紙が装填可能であり、大容量給紙トレイ３２０には４０００枚の印刷用紙が装填可能であるとする。また、通常給紙トレイの各トレイにはＡ３サイズ以下の大きさの用紙が装填可能であり、大容量給紙トレイ３２０には、くるみ製本の印刷物の表紙に用いられるようなＡ３サイズよりも大きいサイズの印刷用紙が装填可能であるとする。
【０１２６】
また、大容量給紙トレイ３２０は、上述したように印刷装置３００に対して着脱可能なものであり、後述する大量印刷モードの際に印刷装置３００に装着されるものであるが、通常印刷モードの際にはこの大容量給紙トレイ３２０の給紙位置に、ストレート給紙台が装着されるものとする。
【０１２７】
また、印刷装置３００には、通常給紙トレイおよび大容量給紙トレイ３２０から印刷用紙をピックアップして印刷処理部３１０に供給する給紙機構（図示省略）が設けられている。そして、印刷装置３００は、コンピュータ１００内の印刷情報出力部２２０から出力された給紙トレイ位置指定情報を受け付け、その給紙トレイ位置指定情報が指定する給紙トレイから印刷用紙がピックアップされるように給紙機構を制御するものである。本実施形態においては、上述したように大量印刷モードにおける給紙トレイ位置指定情報と、これとは異なる通常印刷モードにおける給紙トレイ位置指定情報とが印刷情報出力部２２０から出力されて印刷装置３００に入力される。
【０１２８】
また、印刷装置３００には、大容量給紙トレイ３２０が装着されていることを検出する大容量給紙トレイ検出部３３０が設けられている。大容量給紙トレイ検出部３３０は、たとえば光学的なセンサや電気的なセンサなどによって大容量給紙トレイ３２０が印刷装置３００に装着されていることを検出するものであり、この検出信号をコンピュータ１００における大量印刷情報取得部２３０に出力するものである。大量印刷情報取得部２３０は、上述したように上記検出信号を大量印刷情報として取得するものである。
【０１２９】
また、印刷装置３００には、印刷装置３００全体を制御する制御部３４０が設けられており、本実施形態における制御部３４０は、特に、コンピュータ１００内の印刷情報出力部２２０において大量印刷モードが実行された場合に、印刷処理部３１０において表紙データの印刷が終了したことを示す表紙印刷終了情報をコンピュータ１００内の表紙印刷終了報知部２４０に出力するものである。
【０１３０】
また、印刷装置３００には、コンピュータ１００内の印刷情報出力部２２０において大量印刷モードが実行された場合に、印刷済の表紙が排紙される排紙台３５０が設けられている。
【０１３１】
製本装置４００は、印刷装置３００において印刷処理の施された表紙および本文ページを用いてくるみ製本を行うくるみ製本部４１０と、コンピュータ１００内の印刷情報出力部２２０において大量印刷モードが実行された際、本文ページよりも先に印刷された複数の印刷済の表紙が装填される印刷済表紙給紙ユニット４２０とを備えている。
【０１３２】
くるみ製本部４１０は、印刷情報出力部２２０において大量印刷モードが実行された際には、印刷済表紙給紙ユニット４２０から印刷済の表紙をピックアップし、この表紙と印刷装置３００から排出される本文ページとを用いてくるみ製本を行い、印刷情報出力部２２０において通常印刷モードが実行された際には、印刷装置３００から排出される表紙と本文ページとを用いてくるみ製本を行うものである。なお、この通常印刷モードの際には、上述したようにくるみ製本される各印刷物の表紙と複数枚の本文ページとが印刷装置３００から交互に排紙される。
【０１３３】
次に、本実施形態のプリンタシステム３の作用について、図２０に示すフローチャートを参照しながら説明する。なお、ここでは本文ページのサイズがＡ４であって、表紙のサイズがＡ３よりも大きいサイズであり、通常給紙トレイに表紙の印刷用紙が適切に設置できないようなくるみ製本の印刷物を取得する場合の作用について説明する。
【０１３４】
まず、ユーザーによって画像データ生成部１１０が起動され、ユーザーによって文書、イラスト、写真画像などが編集され、くるみ製本の表紙に印刷される画像データと本文ページに印刷される画像データとが生成されて記憶される（Ｓ１００）。
【０１３５】
次に、ユーザーによってくるみ製本情報生成部１２０が起動され、くるみ製本用画像データ生成部２１０によって、上述した第１の実施形態と同様に、図５から図７に示すような画像割当画面がモニタ６０に表示される。
【０１３６】
そして、上記第１の実施形態と同様にして、「表表紙」、「裏表紙」、「背表紙」、「表表紙の裏面」および「裏表紙の裏面」の各印刷領域に割り当てられる画像データのファイルが選択され、その選択された画像データが、画像データ生成部１１０から出力され、画像データ取得部２００によって取得される（Ｓ１２０）。
【０１３７】
そして、画像データ取得部２００によって取得された画像データはくるみ製本用画像データ生成部２１０に入力され、くるみ製本用画像データ生成部２１０は、入力された画像データを表紙および本文ページの各印刷領域に割り当て、図５〜図７に示すプレビュー画面ＰＶに表紙および本文ページのプレビュー画像を表示する。
【０１３８】
次いで、モニタ６０に表示された印刷指示ボタン（図示省略）がマウスなどの入力装置５０によって押下されると、くるみ製本用画像データ生成部２１０が、表紙および本文ページに割り当てられた画像データに基づいて、表紙の表印刷面および裏印刷面に印刷される表紙データを生成するとともに、本文ページの表面および裏面に印刷される本文データを生成し、これらを印刷情報出力部２２０に出力する（Ｓ１４０）。また、このとき印刷情報出力部２２０は、図２１に示すような、くるみ製本の印刷条件設定画面をモニタ６０に表示する。
【０１３９】
そして、モニタ６０に表示された印刷条件設定画面において、くるみ製本する印刷物の部数、各印刷物の本文ページの枚数、および本文ページのサイズなどがユーザーによって入力される（Ｓ１６０）。
【０１４０】
次いで、図２１に示す印刷条件設定画面における「印刷」ボタンがユーザーによって押下されると、印刷情報出力部２２０は、大量印刷情報取得部２３０によって大量印刷情報が取得されているか否かを確認する。すなわち、印刷情報出力部２２０は、印刷装置３００に対して大容量給紙トレイ３２０が装着されているか否かを確認する。
【０１４１】
そして、印刷情報出力部２２０は、印刷装置３００に大容量給紙トレイ３２０が装着されている場合には（Ｓ１８０，ＹＥＳ）、図２２に示すような大量印刷モード選択画面をモニタ６０に表示させ、この大量印刷モード選択画面において「はい」がユーザーによって押下された場合には（Ｓ２００，ＹＥＳ）、大量印刷モードを実行する。
【０１４２】
一方、印刷情報出力部２２０は、印刷装置３００に大容量給紙トレイ３２０が装着されていない場合には（Ｓ１８０，ＮＯ）、もしくは図２２に示す大量印刷モード選択画面において「いいえ」がユーザーによって押下された場合には（Ｓ２００，ＮＯ）、通常印刷モードを実行する。
【０１４３】
ここで、大量印刷モードの際の作用について、図２３に示すフローチャートと、図２４に示す各印刷モードの動作内容を示す表とを参照しながら説明する。
【０１４４】
ユーザーによって大量印刷モードが選択されると、コンピュータ１００の印刷情報出力部２２０は、複数のくるみ製本される印刷物の表紙に印刷される全ての表紙データが印刷装置３００において印刷された後、その印刷物の本文に印刷される本文データが印刷装置３００において印刷されるように表紙データおよび本文データを出力する印刷ジョブデータであって、かつ表紙データを印刷する際と本文データを印刷する際との両方において大容量給紙トレイ３２０の位置を指定する給紙トレイ位置指定情報を出力する印刷ジョブデータを生成し、これをプリンタドライバ１３０に出力する（Ｓ３００）。
【０１４５】
そして、プリンタドライバ１３０は、入力された印刷ジョブデータをＰＤＬデータの印刷データに変換して印刷装置３００に出力する。
【０１４６】
次いで、印刷装置３００の制御部３４０は、入力された印刷データから給紙トレイ位置指定情報を取得し、この給紙トレイ位置指定情報に基づいて、大容量給紙トレイ３２０から給紙が行われるように給紙機構の準備を行う。なお、このとき大容量給紙トレイ３２０には、まず、複数のくるみ製本される印刷物の表紙の印刷用紙が設置されている。
【０１４７】
そして、制御部３４０は、入力された印刷データに基づいて印刷処理部３１０および給紙機構を制御することによって、大容量給紙トレイ３２０から表紙の印刷用紙をピックアップして、まず、複数のくるみ製本の印刷物の全ての表紙を印刷し、その印刷済表紙を排紙台３５０に出力する（Ｓ３２０）。
【０１４８】
そして、全ての表紙の印刷が終了した際、制御部３４０は、一旦印刷を中断し、コンピュータ１００の表紙印刷終了報知部２４０に対して、全ての表紙の印刷が終了したことを示す信号を出力する。コンピュータ１００の表紙印刷終了報知部２４０は、上記信号に応じて、上記第１の実施形態と同様に、図１３に示すような、表紙データの印刷が終了したことを示すとともに、印刷済表紙の移動を促すようなメッセージをモニタ６０に表示させる。
【０１４９】
モニタ６０に上記メッセージが表示されると、ユーザーは印刷装置３００の排紙台３５０に出力された印刷済表紙を取り出し、これを製本装置４００の印刷済表紙給紙ユニット４２０に設置するとともに、大容量給紙トレイ３２０に本文ページの印刷用紙を設置する（Ｓ３４０）。
【０１５０】
そして、印刷装置３００においてユーザーによって本文ページの印刷開始指示が行われると、制御部３４０は、入力された印刷データに基づいて、大容量給紙トレイ３２０から本文ページの印刷用紙をピックアップするとともに印刷処理部３１０を制御することによって、くるみ製本される各印刷物の本文ページを印刷し、その印刷済本文ページを製本装置４００に出力する（Ｓ３６０）。
【０１５１】
製本装置４００は、印刷済表紙給紙ユニット４２０から印刷済表紙を１枚ずつピックアップするとともに、１部の印刷済本文ページが入力される毎にくるみ製本を行うことによって、複数のくるみ製本された印刷物を順次出力する（Ｓ３８０）。
【０１５２】
なお、上記説明では、本文ページを印刷する際、大容量給紙トレイ３２０を用いて給紙を行うようにしたが、本文ページの総印刷枚数が大容量給紙トレイ３２０の最大積載量を超える場合には、さらに通常給紙トレイも使用するようにしてもよい。すなわち、大量印刷モードの際の給紙トレイ位置指定情報を、大容量給紙トレイ３２０の位置と通常給紙トレイの位置とを順番に指定するものとしてもよい。
【０１５３】
次に、通常印刷モードの際の作用について、図２５に示すフローチャートと、図２４に示す各印刷モードの動作内容を示す表とを参照しながら説明する。
【０１５４】
通常印刷モードの際には、コンピュータ１００の印刷情報出力部２２０は、くるみ製本される各印刷物の表紙データと本文データとが交互に印刷装置３００において印刷されるように表紙データおよび本文データを出力する印刷ジョブデータであって、かつ表紙データを印刷する際には大容量給紙トレイ３２０の位置を指定するとともに、本文データを印刷する際には、後述する通常給紙トレイ（トレイ１〜トレイ３）の位置を指定する給紙トレイ位置指定情報を出力する印刷ジョブデータを生成してプリンタドライバ１３０に出力する（Ｓ５００）。なお、通常印刷モードの際には、印刷装置３００に対して大容量給紙トレイ３２０は接続されていないが、大容量給紙トレイ３２０の給紙位置には、ストレート給紙台が設置されているものとする。
【０１５５】
そして、プリンタドライバ１３０は、入力された印刷ジョブデータをＰＤＬデータの印刷データに変換して印刷装置３００に出力する。
【０１５６】
次いで、印刷装置３００の制御部３４０は、入力された印刷データから給紙トレイ位置指定情報を取得し、この給紙トレイ位置指定情報に基づいて、大容量給紙トレイ３２０の給紙位置に設置されたストレート給紙台と通常給紙トレイとから給紙が行われるように給紙機構の準備を行う。なお、このときストレート給紙台には、複数のくるみ製本される印刷物の表紙の印刷用紙が設置され、通常給紙トレイには本文ページの印刷用紙が設置されている。
【０１５７】
そして、制御部３４０は、入力された印刷データに基づいて印刷処理部３１０および給紙機構を制御することによって、ストレート給紙台から表紙の印刷用紙を１枚ピックアップして表紙を１枚印刷し、次いで、通常給紙トレイから１部の本文ページをピックアップして本文ページを印刷し、この印刷済の表紙および本文ページを製本装置４００に出力する。その後、制御部３４０は、同様にして、１枚の表紙の印刷と１部の本文ページの印刷とを交互に繰り返して行って製本装置に順次出力する（Ｓ５２０）。
【０１５８】
製本装置４００は、１枚の印刷済表紙と１部の印刷済本文ページとが入力される毎にくるみ製本を行うことによって、くるみ製本された印刷物を順次出力する（Ｓ５４０）。
【０１５９】
上記第２の実施形態のプリンタシステム３によれば、大量印刷モードの際には、全ての表紙データが印刷装置において印刷された後、本文データが印刷装置において印刷されるように表紙データおよび本文データを出力し、かつ表紙データを印刷する際と本文データを印刷する際との両方において大容量給紙トレイ３２０の位置を指定し、大容量給紙トレイによって全ての表紙の印刷用紙を給紙して表紙を印刷した後、本文ページの印刷用紙を給紙して印刷するようにしたので、本文ページの給紙回数が１回で済むので、ユーザーの手間を軽減することができ、全体の作業時間も短縮することができる。
【０１６０】
具体的には、上述したように大量給紙トレイ３２０の最大積載量が４０００枚である場合に、本文ページが１００ページ（印刷用紙は５０枚）の印刷物を１００冊取得する場合には、すなわち５０００枚の給紙を行う必要がある場合には、大容量給紙トレイに４０００枚の印刷用紙を設置し、通常給紙トレイ（トレイ１〜トレイ３）に１０００枚の印刷用紙を設置すれば良いので、本文ページの印刷の際、一回の給紙で済むことになる。
【０１６１】
一方、大量の本文ページの印刷を行わない場合、すなわち通常印刷モードの際には、たとえば表紙データを印刷する際には大容量給紙トレイの位置を指定し、本文データを印刷する際には通常給紙トレイの位置を指定し、表紙と本文ページとを交互に印刷するようにしたので、大量印刷モードの際のように、大容量給紙トレイに表紙の印刷用紙を設置した後に、本文ページの印刷用紙を設置する必要がなく、表紙の印刷用紙と本文ページの印刷用紙の給紙を最初の一回で済ませることができる。
【０１６２】
なお、上記第２の実施形態のプリンタシステム３においては、大量印刷情報として、大容量給紙トレイの装着の検出信号を用いるようにしたが、これに限らず、たとえば複数のくるみ製本される印刷物の本文の総印刷枚数を取得し、その総印刷枚数が所定の印刷枚数を超えるか否かを判定し、その総印刷枚数が所定の印刷枚数が超える場合には、その判定結果を大量印刷情報として取得するようにしてもよい。なお、上記所定の印刷枚数としては、たとえば通常給紙トレイの印刷用紙の最大積載量の３倍など、少なくとも最大積載量の２倍以上を用いるようにすればよい。また、本文の総印刷枚数については、たとえば、図２１に示したくるみ製本の印刷条件設定画面において設定入力された部数と、本文ページ数とを用いて取得するようにすればよい。
【０１６３】
次に、第３の実施形態のプリンタシステム４について説明する。
【０１６４】
上記第２の実施形態のプリンタシステム３の説明では、くるみ製本の表紙の印刷用紙のサイズがＡ３よりも大きいサイズであり、通常給紙トレイに表紙の印刷用紙を適切に設置できない場合における印刷制御方法について説明したが、第３の実施形態のプリンタシステム４は、さらに表紙の印刷用紙が通常給紙トレイに設置可能か否かも判定し、その判定結果に基づいて、給紙トレイ位置指定情報を変更するようにしたものである。
【０１６５】
第３の実施形態のプリンタシステム４は、図２６に示すように、第２の実施形態のプリンタシステム３に対して、さらに用紙サイズ情報取得部２５０を備えたものである。なお、その他の構成については、上述した第２の実施形態のプリンタシステム３と同様である。
【０１６６】
用紙サイズ情報取得部２５０は、本文ページの印刷用紙のサイズまたは表紙の印刷用紙のサイズを取得し、この用紙サイズ情報を印刷情報出力部２２０に出力するものである。なお、本文ページの印刷用紙のサイズについては、たとえば、図２１に示すくるみ製本の印刷条件設定画面において設定入力されたサイズを用いるようにすればよい。また、図２１に示すくるみ製本の印刷条件設定画面において表紙の印刷用紙のサイズも設定入力可能とし、その設定入力された表紙の印刷用紙のサイズを取得するようにしてもよい。
【０１６７】
次に、上述した用紙サイズ情報取得部２５０を備えたプリンタシステム４の作用について、図２７に示すフローチャートを参照しながら説明する。なお、図２７に示すＳ６００〜Ｓ６８０までについては、図２０に示すＳ１００〜Ｓ１８０までの作用と同様であるので、ここでの説明は省略する。
【０１６８】
図２７に示すＳ６８０において、印刷装置３００に大容量給紙トレイ３２０が装着されていることが印刷情報出力部２２０によって確認された場合には（Ｓ６８０，ＹＥＳ）、印刷情報出力部２２０は、用紙サイズ情報取得部２５０から出力された用紙サイズ情報に基づいて、表紙の印刷用紙が通常給紙トレイに設定可能であるか否かを判定する。なお、用紙サイズ情報取得部２５０から本文ページの用紙サイズ情報が出力された場合には、印刷情報出力部２２０は、その本文ページの用紙サイズ情報に基づいて表紙の印刷用紙のサイズを取得するものとする。この場合、たとえば、印刷情報出力部２２０に、本文ページのサイズ情報と表紙のサイズ情報とを対応づけたテーブルなどを設けておくようにすればよい。
【０１６９】
そして、印刷情報出力部２２０が、表紙の印刷用紙が通常給紙トレイに設定不可能であると判定した場合には（Ｓ７００，ＹＥＳ）、上記実施形態のプリンタシステム３と同様に、図２２に示すような大量印刷モード選択画面をモニタ６０に表示させ、この大量印刷モード選択画面において「はい」がユーザーによって押下された場合には（Ｓ７２０，ＹＥＳ）、大量印刷モードを実行する（Ｓ７４０）。大量印刷モードについては、上記第２の実施形態のプリンタシステム３と同様である。
【０１７０】
一方、印刷情報出力部２２０は、図２２に示す大量印刷モード選択画面において「いいえ」がユーザーによって押下された場合には（Ｓ７２０，ＮＯ）、通常印刷モードを実行する（Ｓ７６０）。通常印刷モードについては、上記第２の実施形態のプリンタシステム３と同様である。
【０１７１】
また、Ｓ６８０において、印刷装置３００に大容量給紙トレイ３２０が装着されていることが印刷情報出力部２２０によって確認されなかった場合には（Ｓ６８０，ＮＯ）、印刷情報出力部２２０は、用紙サイズ情報取得部２５０から出力された用紙サイズ情報に基づいて、表紙の印刷用紙が通常給紙トレイに設定可能であるか否かを判定する。
【０１７２】
そして、印刷情報出力部２２０が、表紙の印刷用紙が通常給紙トレイに設置不可能であると判定した場合には（Ｓ７８０，ＹＥＳ）、通常印刷モードを実行する（Ｓ７６０）。
【０１７３】
一方、印刷情報出力部２２０が、表紙の印刷用紙が通常給紙トレイに設置可能であると判定した場合には（Ｓ７８０，ＮＯ）、少量印刷モードを実行する（Ｓ８００）。なお、少量印刷モードの際の作用については、後で詳述する。
【０１７４】
また、Ｓ６８０において、印刷装置３００に大容量給紙トレイ３２０が装着されていることが印刷情報出力部２２０によって確認され、かつＳ７００において、表紙の印刷用紙が通常給紙トレイに設置可能であると判定された場合には（Ｓ７００，ＮＯ）、表紙小サイズ印刷モードが実行される（Ｓ８２０）。なお、少量印刷モードの際の作用については、後で詳述する。
【０１７５】
ここで、上述した少量印刷モードの際の作用について、図２８に示すフローチャートと、図２９の各印刷モードの動作内容を示す表とを参照しながら説明する。
【０１７６】
少量印刷モードの際には、コンピュータ１００の印刷情報出力部２２０は、くるみ製本される各印刷物の表紙データと本文データとが交互に印刷装置３００において印刷されるように表紙データおよび本文データを出力する印刷ジョブデータであって、かつ表紙データを印刷する際と本文データを印刷する際との両方において通常給紙トレイ（トレイ１〜トレイ３）の位置を指定する給紙トレイ位置指定情報を出力する印刷ジョブデータを生成してプリンタドライバ１３０に出力する（Ｓ９００）。なお、このとき給紙トレイ位置指定情報には、トレイ１〜トレイ３のうちの表紙データを印刷する際のトレイの位置指定情報と、本文データを印刷する際のトレイの位置指定情報とが含まれている。本実施形態の説明においては、表紙データを印刷する際のトレイの位置指定情報としてトレイ１の位置指定情報が設定され、本文データを印刷する際のトレイの位置指定情報としてトレイ２の位置指定情報が含まれているものとする。
【０１７７】
そして、プリンタドライバ１３０は、入力された印刷ジョブデータをＰＤＬデータの印刷データに変換して印刷装置３００に出力する。
【０１７８】
次いで、印刷装置３００の制御部３４０は、入力された印刷データから給紙トレイ位置指定情報を取得し、この給紙トレイ位置指定情報に基づいて、表紙の印刷用紙が設置されたトレイ１と本文ページの印刷用紙が設置されたトレイ２とから給紙が行われるように給紙機構の準備を行う。
【０１７９】
そして、制御部３４０は、入力された印刷データに基づいて印刷処理部３１０および給紙機構を制御することによって、トレイ１から表紙の印刷用紙を１枚ピックアップして表紙を１枚印刷し、次いで、トレイ２から１部の本文ページをピックアップして本文ページを印刷し、この印刷済の表紙および本文ページを製本装置４００に出力する。その後、制御部３４０は、同様にして、１枚の表紙の印刷と１部の本文ページの印刷とを交互に繰り返して行って製本装置に順次出力する（Ｓ９２０）。
【０１８０】
製本装置４００は、１枚の印刷済表紙と１部の印刷済本文ページとが入力される毎にくるみ製本を行うことによって、くるみ製本された印刷物を順次出力する（Ｓ９４０）。
【０１８１】
次に、上述した表紙小サイズ印刷モードの際の作用について、図３０に示すフローチャートと、図２９の各印刷モードの動作内容を示す表とを参照しながら説明する。
【０１８２】
表紙小印刷モードの際には、コンピュータ１００の印刷情報出力部２２０は、くるみ製本される各印刷物の表紙データと本文データとが交互に印刷装置３００において印刷されるように表紙データおよび本文データを出力する印刷ジョブデータであって、かつ表紙データを印刷する際には通常給紙トレイの位置を指定するとともに、本文データを印刷する際には、大容量給紙トレイ３２０の位置を指定する給紙トレイ位置指定情報を出力する印刷ジョブデータを生成してプリンタドライバ１３０に出力する（Ｓ１１０）。
【０１８３】
そして、プリンタドライバ１３は、入力された印刷ジョブデータをＰＤＬデータの印刷データに変換して印刷装置３００に出力する。
【０１８４】
次いで、印刷装置３００の制御部３４０は、入力された印刷データから給紙トレイ位置指定情報を取得し、この給紙トレイ位置指定情報に基づいて、表紙の印刷用紙が設置された通常給紙トレイと本文ページの印刷用紙が設置された大容量給紙トレイ３２０とから給紙が行われるように給紙機構の準備を行う。
【０１８５】
そして、制御部３４０は、入力された印刷データに基づいて印刷処理部３１０および給紙機構を制御することによって、通常給紙トレイから表紙の印刷用紙を１枚ピックアップして表紙を１枚印刷し、次いで、大容量給紙トレイ３２０から１部の本文ページをピックアップして本文ページを印刷し、この印刷済の表紙および本文ページを製本装置４００に出力する。その後、制御部３４０は、同様にして、１枚の表紙の印刷と１部の本文ページの印刷とを交互に繰り返して行って製本装置に順次出力する（Ｓ１１２）。
【０１８６】
製本装置４００は、１枚の印刷済表紙と１部の印刷済本文ページとが入力される毎にくるみ製本を行うことによって、くるみ製本された印刷物を順次出力する（Ｓ１１４）。
【０１８７】
上記第３の実施形態のプリンタシステム４によれば、表紙の印刷用紙が通常給紙トレイに設置可能であるか否かを判定し、その判定結果に応じて給紙トレイ位置指定情報を切り替えるようにしたので、本文ページの総印刷枚数が大量であるか否かだけでなく、表紙の印刷用紙が通常給紙トレイに設置可能であるかも考慮して、各印刷モードを設定することができ、その各印刷モードに最適な給紙トレイ位置に自動的に切り替えることができるので、ユーザーが給紙トレイ位置を設定する手間を省くことができる。
【０１８８】
また、表紙の印刷用紙が通常給紙トレイに設置可能である場合には、上述した表紙小サイズ印刷モードを実行して通常給紙トレイと大容量給紙トレイとの両方を用いるようにしたので、大量印刷モードの際のように、大容量給紙トレイに表紙の印刷用紙を設置した後に、本文ページの印刷用紙を設置するという印刷用紙の置き換えを行う必要がない。また、本文ページの印刷用紙を大容量給紙トレイに設置するようにしたので、通常印刷モードの際のように、通常給紙トレイに本文ページの印刷用紙を設置する場合よりも、一回でより多くの印刷枚数を設置することができる。すなわち、印刷の生産性がより向上するような印刷用紙の給紙を行うことができる。
【０１８９】
また、上述した第３の実施形態のプリンタシステム４においては、通常印刷モードと少量印刷モードと表紙小サイズ印刷モードにおいて、１枚の表紙の印刷と１部の本文ページの印刷とを交互に繰り返して行って複数のくるみ製本された印刷物を取得するようにしたが、たとえば印刷部数が所定の閾値よりも多い場合には、表紙の印刷用紙が設置された給紙トレイと、本文ページの印刷用紙が設置された給紙トレイとの切り替えが多くなり、この切り替えの度にダウンタイムが発生し、全体の生産性が落ちる問題がある。
【０１９０】
そこで、通常印刷モードと少量印刷モードと表紙小サイズ印刷モードにおいて、さらにくるみ製本される印刷物の部数に基づいて、表紙および本文ページの印刷の順番を切り替えるようにしてもよい。
【０１９１】
第３の実施形態のプリンタシステム４の変形例において、このように印刷の順番を切り替えるようにした場合の作用を、図３１に示すフローチャートを参照しながら説明する。なお、上述したプリンタシステム４の作用と異なる部分のみを説明する。
【０１９２】
まず、通常印刷モードの切り替えについて説明する。
【０１９３】
Ｓ６８０において、印刷装置３００に大容量給紙トレイ３２０が装着されていることが印刷情報出力部２２０によって確認されず（Ｓ６８０，ＮＯ）、かつＳ７８０において、表紙の印刷用紙が通常給紙トレイに設置不可能であると判定された場合には（Ｓ７８０，ＹＥＳ）、印刷情報出力部２２０は、くるみ製本される印刷物の部数が所定の閾値以下であるか否かを確認する（Ｓ２１０）。なお、くるみ製本される印刷物の部数については、たとえば、図２１に示したくるみ製本の印刷条件設定画面において設定入力された部数を取得するようにすればよい。
【０１９４】
そして、くるみ製本される印刷物の部数が所定の閾値以下である場合には（Ｓ２１０，ＹＥＳ）、第１の通常印刷モードが実行される（Ｓ７６０）。この第１の通常印刷モードについては、上述した通常印刷モードと同様である。
【０１９５】
一方、くるみ製本される印刷物の部数が所定の閾値より大きい場合には（Ｓ２１０，ＮＯ）、第２の通常印刷モードが実行される（Ｓ２１２）。
【０１９６】
以下、この第２の通常印刷モードについて、図３２に示すフローチャートと、図３３の各印刷モードの動作内容を示す表とを参照しながら説明する。
【０１９７】
第２の通常印刷モードの際には、コンピュータ１００の印刷情報出力部２２０は、複数のくるみ製本される印刷物の表紙に印刷される全ての表紙データが印刷装置３００において印刷された後、その印刷物の本文データが印刷装置３００において印刷されるように表紙データおよび本文データを出力する印刷ジョブデータであって、かつ表紙データを印刷する際には大容量給紙トレイ３２０の位置を指定するとともに、本文データを印刷する際には、通常給紙トレイ（トレイ１〜トレイ３）の位置を指定する給紙トレイ位置指定情報を出力する印刷ジョブデータを生成してプリンタドライバ１３０に出力する（Ｓ３１０）。なお、第２の通常印刷モードの際にも、印刷装置３００に対して大容量給紙トレイ３２０は接続されていないが、大容量給紙トレイ３２０の給紙位置には、ストレート給紙台が設置されているものとする。
【０１９８】
そして、プリンタドライバ１３０は、入力された印刷ジョブデータをＰＤＬデータの印刷データに変換して印刷装置３００に出力する。
【０１９９】
次いで、印刷装置３００の制御部３４０は、入力された印刷データから給紙トレイ位置指定情報を取得し、この給紙トレイ位置指定情報に基づいて、大容量給紙トレイ３２０の給紙位置に接続されたストレート給紙台から給紙が行われるように給紙機構の準備を行う。
【０２００】
そして、制御部３４０は、入力された印刷データに基づいて印刷処理部３１０を制御するとともに、ストレート給紙台から表紙の印刷用紙をピックアップすることによって、まず、複数のくるみ製本の印刷物の全ての表紙を印刷し、その印刷済表紙を排紙台３５０に出力する（Ｓ３１２）。
【０２０１】
そして、全ての表紙の印刷が終了した際、制御部３４０は、一旦印刷を中断し、コンピュータ１００の表紙印刷終了報知部２４０に対して、全ての表紙の印刷が終了したことを示す信号を出力する。コンピュータ１００の表紙印刷終了報知部２４０は、上記信号に応じて、図１３に示すような、表紙データの印刷が終了したことを示すとともに、印刷済表紙の移動を促すようなメッセージをモニタ６０に表示させる。
【０２０２】
モニタ６０に上記メッセージが表示されると、ユーザーは印刷装置３００の排紙台３５０に出力された印刷済表紙を取り出し、これを製本装置４００の印刷済表紙給紙ユニット４２０に設置するとともに、大容量給紙トレイ３２０に本文ページの印刷用紙を設置する（Ｓ３１４）。
【０２０３】
そして、印刷装置３００においてユーザーによって本文ページの印刷開始指示が行われると、制御部３４０は、入力された印刷データに基づいて、通常給紙トレイから本文ページの印刷用紙をピックアップするとともに印刷処理部３１０を制御することによって、くるみ製本される各印刷物の本文ページを印刷し、その印刷済本文ページを製本装置４００に出力する（Ｓ３１６）。
【０２０４】
製本装置４００は、印刷済表紙給紙ユニット４２０から印刷済表紙を１枚ずつピックアップするとともに、１部の印刷済本文ページが入力される毎にくるみ製本を行うことによって、複数のくるみ製本された印刷物を順次出力する（Ｓ３１８）。
【０２０５】
次に、少量印刷モードの切り替えについて説明する。
【０２０６】
Ｓ６８０において、印刷装置３００に大容量給紙トレイ３２０が装着されていることが印刷情報出力部２２０によって確認されず（Ｓ６８０，ＮＯ）、かつＳ７８０において、表紙の印刷用紙が通常給紙トレイに設置可能であると判定された場合には（Ｓ７８０，ＮＯ）、印刷情報出力部２２０は、くるみ製本される印刷物の部数が所定の閾値以下であるか否かを確認する（Ｓ２１４）。
【０２０７】
そして、くるみ製本される印刷物の部数が所定の閾値以下である場合には（Ｓ２１４，ＹＥＳ）、第１の少量印刷モードが実行される（Ｓ８００）。この第１の少量印刷モードについては、上述した少量印刷モードと同様である。
【０２０８】
一方、くるみ製本される印刷物の部数が所定の閾値より大きい場合には（Ｓ２１４，ＮＯ）、第２の少量印刷モードが実行される（Ｓ２１６）。
【０２０９】
第２の少量印刷モードの際には、コンピュータ１００の印刷情報出力部２２０は、複数のくるみ製本される印刷物の表紙に印刷される全ての表紙データが印刷装置３００において印刷された後、その印刷物の本文データが印刷装置３００において印刷されるように表紙データおよび本文データを出力する印刷ジョブデータであって、かつ表紙データを印刷する際と本文データを印刷する際との両方において通常給紙トレイ（トレイ１〜トレイ３）の位置を指定する給紙トレイ位置指定情報を出力する印刷ジョブデータを生成してプリンタドライバ１３０に出力する。
【０２１０】
なお、このとき給紙トレイ位置指定情報には、トレイ１〜トレイ３のうちの表紙データを印刷する際のトレイの位置指定情報と、本文データを印刷する際のトレイの位置指定情報とが含まれている。本実施形態の説明においては、表紙データを印刷する際のトレイの位置指定情報としてトレイ１の位置指定情報が設定され、本文データを印刷する際のトレイの位置指定情報としてトレイ２の位置指定情報が含まれているものとする。
【０２１１】
そして、プリンタドライバ１３０は、入力された印刷ジョブデータをＰＤＬデータの印刷データに変換して印刷装置３００に出力する。
【０２１２】
次いで、印刷装置３００の制御部３４０は、入力された印刷データから給紙トレイ位置指定情報を取得し、この給紙トレイ位置指定情報に基づいて、表紙の印刷用紙が設置されたトレイ１と本文ページの印刷用紙が設置されたトレイ２とから給紙が行われるように給紙機構の準備を行う。
【０２１３】
そして、制御部３４０は、入力された印刷データに基づいて印刷処理部３１０および給紙機構を制御することによって、トレイ１から表紙の印刷用紙をピックアップして、まず、複数のくるみ製本の印刷物の全ての表紙を印刷し、その印刷済表紙を排紙台３５０に出力する。
【０２１４】
そして、全ての表紙の印刷が終了した際、制御部３４０は、一旦印刷を中断し、コンピュータ１００の表紙印刷終了報知部２４０に対して、全ての表紙の印刷が終了したことを示す信号を出力する。コンピュータ１００の表紙印刷終了報知部２４０は、上記信号に応じて、図１３に示すような、表紙データの印刷が終了したことを示すとともに、印刷済表紙の移動を促すようなメッセージをモニタ６０に表示させる。
【０２１５】
モニタ６０に上記メッセージが表示されると、ユーザーは印刷装置３００の排紙台３５０に出力された印刷済表紙を取り出し、これを製本装置４００の印刷済表紙給紙ユニット４２０に設置するとともに、大容量給紙トレイ３２０に本文ページの印刷用紙を設置する。
【０２１６】
そして、印刷装置３００においてユーザーによって本文ページの印刷開始指示が行われると、制御部３４０は、入力された印刷データに基づいて、トレイ２から本文ページの印刷用紙をピックアップするとともに印刷処理部３１０を制御することによって、くるみ製本される各印刷物の本文ページを印刷し、その印刷済本文ページを製本装置４００に出力する。
【０２１７】
製本装置４００は、印刷済表紙給紙ユニット４２０から印刷済表紙を１枚ずつピックアップするとともに、１部の印刷済本文ページが入力される毎にくるみ製本を行うことによって、複数のくるみ製本された印刷物を順次出力する。
【０２１８】
次に、表紙小サイズ印刷モードの切り替えについて説明する。
【０２１９】
Ｓ６８０において、印刷装置３００に大容量給紙トレイ３２０が装着されていることが印刷情報出力部２２０によって確認され（Ｓ６８０，ＹＥＳ）、かつＳ７００において、表紙の印刷用紙が通常給紙トレイに設置可能であると判定された場合には（Ｓ７００，ＮＯ）、印刷情報出力部２２０は、くるみ製本される印刷物の部数が所定の閾値以下であるか否かを確認する（Ｓ２１８）。
【０２２０】
そして、くるみ製本される印刷物の部数が所定の閾値以下である場合には（Ｓ２１８，ＹＥＳ）、第１の表紙小サイズ印刷モードが実行される（Ｓ８２０）。この第１の表紙小サイズ印刷モードについては、上述した表紙小サイズ印刷モードと同様である。
【０２２１】
一方、くるみ製本される印刷物の部数が所定の閾値より大きい場合には（Ｓ２１８，ＮＯ）、第２の表紙小サイズ印刷モードが実行される（Ｓ２２２）。
【０２２２】
第２の表紙小サイズ印刷モードの際には、コンピュータ１００の印刷情報出力部２２０は、複数のくるみ製本される印刷物の表紙に印刷される全ての表紙データが印刷装置３００において印刷された後、その印刷物の本文データが印刷装置３００において印刷されるように表紙データおよび本文データを出力する印刷ジョブデータであって、かつ表紙データを印刷する際には通常給紙トレイの位置を指定するとともに、本文データを印刷する際には、大容量給紙トレイ３２０の位置を指定する給紙トレイ位置指定情報を出力する印刷ジョブデータを生成してプリンタドライバ１３０に出力する。
【０２２３】
そして、プリンタドライバ１３０は、入力された印刷ジョブデータをＰＤＬデータの印刷データに変換して印刷装置３００に出力する。
【０２２４】
次いで、印刷装置３００の制御部３４０は、入力された印刷データから給紙トレイ位置指定情報を取得し、この給紙トレイ位置指定情報に基づいて、表紙の印刷用紙が設置された通常給紙トレイと本文ページの印刷用紙が設置された大容量給紙トレイ３２０とから給紙が行われるように給紙機構の準備を行う。
【０２２５】
そして、制御部３４０は、入力された印刷データに基づいて印刷処理部３１０および給紙機構を制御することによって、通常給紙トレイから表紙の印刷用紙をピックアップして、まず、複数のくるみ製本の印刷物の全ての表紙を印刷し、その印刷済表紙を排紙台３５０に出力する。
【０２２６】
そして、全ての表紙の印刷が終了した際、制御部３４０は、一旦印刷を中断し、コンピュータ１００の表紙印刷終了報知部２４０に対して、全ての表紙の印刷が終了したことを示す信号を出力する。コンピュータ１００の表紙印刷終了報知部２４０は、上記信号に応じて、図１３に示すような、表紙データの印刷が終了したことを示すとともに、印刷済表紙の移動を促すようなメッセージをモニタ６０に表示させる。
【０２２７】
モニタ６０に上記メッセージが表示されると、ユーザーは印刷装置３００の排紙台３５０に出力された印刷済表紙を取り出し、これを製本装置４００の印刷済表紙給紙ユニット４２０に設置するとともに、大容量給紙トレイ３２０に本文ページの印刷用紙を設置する。
【０２２８】
そして、印刷装置３００においてユーザーによって本文ページの印刷開始指示が行われると、制御部３４０は、入力された印刷データに基づいて、大容量給紙トレイ３２０から本文ページの印刷用紙をピックアップするとともに印刷処理部３１０を制御することによって、くるみ製本される各印刷物の本文ページを印刷し、その印刷済本文ページを製本装置４００に出力する。
【０２２９】
製本装置４００は、印刷済表紙給紙ユニット４２０から印刷済表紙を１枚ずつピックアップするとともに、１部の印刷済本文ページが入力される毎にくるみ製本を行うことによって、複数のくるみ製本された印刷物を順次出力する。
【０２３０】
なお、上述した第３の実施形態のプリンタシステム４だけでなく、先に説明した第２の実施形態のプリンタシステム３の通常印刷モードにおいても、くるみ製本される印刷物の部数に基づいて、第１の通常印刷モードと第２の通常印刷モードとを切り替えるようにしてもよい。
【０２３１】
また、上記説明においては、印刷情報出力部２２０が、くるみ製本される印刷物の部数に基づいて、第１の通常印刷モードと第２の通常印刷モードとの切り替え、第１の少量印刷モードと第２の少量印刷モードとの切り替え、および第１の表紙小サイズ印刷モードと第２の表紙小サイズ印刷モードの切り替えを自動的に行うようにしたが、すなわち、言い換えれば、くるみ製本される印刷物の部数に基づいて、全ての表紙を印刷した後に本文ページを印刷する印刷モードと、表紙の印刷と１部の本文ページの印刷とを交互に行う印刷モードとを自動的に切り替えるようにしたが、このように自動的に切り替えるのではなく、くるみ製本される印刷物の部数が所定の閾値よりも多い場合に、モニタに６０に印刷モードを変更した方がよい旨をメッセージ表示するとともに、図１１に示すような印刷モードの選択画面を表示させ、この画面において「表紙を全部印刷した後、本文を印刷する」がユーザーによって選択された場合に、第２の通常印刷モード、第２の少量印刷モード、または第２の表紙小サイズ印刷モードを実行するようにしてもよい。
【０２３２】
また、上述したくるみ製本の印刷物の部数の閾値としては、たとえば、表紙の印刷用紙が設置された給紙トレイと本文ページの印刷用紙が設置された給紙トレイとの切り替え時間が２．５秒、すなわち１部当たりのダウンタイムが２．５秒×２＝５秒であり、一方、表紙を印刷した後、その印刷済の表紙を製本装置４００の印刷済表紙給紙ユニット４２にセットするまでの時間が６０秒程度であるとすると、部数が１２部以下の場合には、第１の通常印刷モード、第１の少量印刷モード、または第１の表紙小サイズ印刷モードに設定し、部数が１３部以上の場合には、第２の通常印刷モード、第２の少量印刷モード、または第２の表紙小サイズ印刷モードを設定するようにすればよい。
【０２３３】
上述したようにしてくるみ製本される印刷物の部数に基づいて、第１の通常印刷モードと第２の通常印刷モードとの切り替え、第１の少量印刷モードと第２の少量印刷モードとの切り替え、および第１の表紙小サイズ印刷モードと第２の表紙小サイズ印刷モードの切り替えを行うようにした場合には、表紙を印刷する際の給紙トレイと本文ページを印刷する際の給紙トレイとの切り替えによるダウンタイムを軽減することができ、全体の作業時間の短縮を図ることができる。
【０２３４】
また、上記実施形態のプリンタシステム３，４において、図２４、図２９および図３３に示したような各印刷モードに対する印順や給紙トレイ位置の情報を、印刷を開始する前にモニタ６０に表示するようにしてもよい。これによりユーザーが表紙の印刷用紙と本文ページの印刷用紙を間違えて設置するのを防止することができる。
【符号の説明】
【０２３５】
１     プリンタシステム
１０，１００   コンピュータ
１１，１１０   画像データ生成部
１２，１２０   くるみ製本情報生成部
１３，１３０   プリンタドライバ
２０，２００   画像データ取得部
２１，２１０   くるみ製本用画像データ生成部
２２，２２０   印刷情報出力部
２３   印刷部数情報取得部
２４   印刷モード変更受付部
２５   印刷モード変更報知部
２６,２４０    表紙印刷終了報知部
３０   印刷装置
３１，３１０   印刷処理部
３２   排紙台
３３，３４０   制御部
４０   製本装置
４１，４１０   くるみ製本部
４２，４２０   印刷済表紙給紙ユニット
５０   入力装置
６０   モニタ
２３０ 大容量印刷情報取得部
２５０ 用紙サイズ情報取得部
３２０ 大容量給紙トレイ
３３０ 大容量給紙トレイ検出部
【図１】
2013178705.tif 000003
【図２】
2013178705.tif 000004
【図３】
2013178705.tif 000005
【図４】
2013178705.tif 000006
【図５】
2013178705.tif 000007
【図６】
2013178705.tif 000008
【図７】
2013178705.tif 000009
【図８】
2013178705.tif 000010
【図９】
2013178705.tif 000011
【図１０】
2013178705.tif 000012
【図１１】
2013178705.tif 000013
【図１２】
2013178705.tif 000014
【図１３】
2013178705.tif 000015
【図１４】
2013178705.tif 000016
【図１５】
2013178705.tif 000017
【図１６】
2013178705.tif 000018
【図１７】
2013178705.tif 000019
【図１８】
2013178705.tif 000020
【図１９】
2013178705.tif 000021
【図２０】
2013178705.tif 000022
【図２１】
2013178705.tif 000023
【図２２】
2013178705.tif 000024
【図２３】
2013178705.tif 000025
【図２４】
2013178705.tif 000026
【図２５】
2013178705.tif 000027
【図２６】
2013178705.tif 000028
【図２７】
2013178705.tif 000029
【図２８】
2013178705.tif 000030
【図２９】
2013178705.tif 000031
【図３０】
2013178705.tif 000032
【図３１】
2013178705.tif 000033
【図３２】
2013178705.tif 000034
【図３３】
2013178705.tif 000035
【図３４】
2013178705.tif 000036